(57)【特許請求の範囲】
【請求項１】
引戸及び横枠の何れか一方側に設けた指挟み防止部材と、他方側に設けた跳ね返り防止部材とを備え、指挟み防止部材は一方側に配置した見込み方向の軸により他方側に向けて回動自在に設けてあり引戸を所定速度よりも早く閉めたときに他方側に衝突して引戸の閉方向の移動を規制するものであり、跳ね返り防止部材は他方側に配置した見込み方向の軸により一方側に向けて回動自在に設けてあり、指挟み防止部材の他方側への衝突に連動して一方側に回動し、一方側に係止することで引戸の開方向への戻りを規制するものであることを特徴とする引戸サッシ。
【請求項２】
引戸及び横枠の何れか一方側に設けた指挟み防止部材及び係止部と、他方側に設けたスライダ及び跳ね返り防止部材とを備え、指挟み防止部材は一方側に配置した見込み方向の軸により他方側に向けて回動自在に設けてあり引戸を所定速度よりも早く閉めたときにスライダに衝突するものであり、スライダは指挟み防止部材に押されたときに引戸開閉方向の所定位置までスライドし、スライダが所定位置に停止したときに指挟み防止部材が引戸の閉方向の移動を規制するものであり、跳ね返り防止部材は、他方側に配置した見込み方向の軸により一方側に向けて回動自在に設けてあり、スライダに押されときに一方側に向けて回動して係止部に係止し引戸の開方向への戻りを規制するものであることを特徴とする引戸サッシ。
【請求項３】
跳ね返り防止部材は、付勢部材により他方側に向けて付勢してあり、一方側に回動するときには付勢力に抗して回動することを特徴とする請求項１又は２に記載の引戸サッシ。
【発明の詳細な説明】
【技術分野】
【０００１】
本発明は、指挟み防止機能を備えた引戸サッシに関する。
【背景技術】
【０００２】
特許文献１には、横枠に指挟み防止部材を設け、磁石の磁力が作用する速度（所定速度）よりも早く引戸を閉じると、引戸が竪枠に当接する前に、指挟み防止部材が引戸に係合して引戸が閉方向に移動するのを規制し、磁石の磁力が作用する速さよりも遅く引戸を閉じるときには、指挟み防止部材が磁石の反発力を受けて位置を変えることにより引戸が閉方向に移動するのを許可することが開示されている。
特許文献２には、引戸の戸先側に設けた指挟み防止部材と、指挟み防止部材が竪枠に衝突したときに移動するウエイト部材と、ウエイト部材の移動に連動するブレーキ部材とを横框に設け、ウエイト部材の慣性力が作用する速度（所定速度）よりも早く引戸を閉じて指挟み防止部材が戸当り框に衝突すると、ブレーキ部材が横枠に圧接して引戸を制動し、ウエイト部材の慣性力よりも遅く引戸を閉じたときには、ブレーキ部材が作用しないようにしたことが開示されている。
【０００３】
【特許文献１】特開平８−８２１５７号公報
【特許文献２】特開２００２−７０４１１号公報
【発明の開示】
【発明が解決しようとする課題】
【０００４】
しかし、特許文献１では、所定速度よりも早く引戸を閉めたときに、引戸が指挟み防止部材に衝突すると、その反動で引戸が開方向に大きく跳ね返り、引戸を閉めた人に衝突する等の問題がある。
特許文献２では、所定速度よりも早く引戸を閉めたときには、ブレーキ部材が引戸から突設して横枠に圧接することにより引戸を制動するので、ブレーキ部材による跳ね返りは防止できるものの、ブレーキ部材が磨耗する等の経時劣化により、跳ね返り防止機構が働かなくなるという問題がある。
【０００５】
そこで、本発明は、所定速度よりも早く引戸を閉めたときには指挟みを防止すると共に引戸の跳ね返りを防止でき、且つ跳ね返り防止を長期に亘って機能できる引戸サッシの提供を目的とする。
【課題を解決するための手段】
【０００６】
請求項１に記載の発明は、引戸及び横枠の何れか一方側に設けた指挟み防止部材と、他方側に設けた跳ね返り防止部材とを備え、指挟み防止部材は一方側に配置した見込み方向の軸により他方側に向けて回動自在に設けてあり引戸を所定速度よりも早く閉めたときに他方側に衝突して引戸の閉方向の移動を規制するものであり、跳ね返り防止部材は他方側に配置した見込み方向の軸により一方側に向けて回動自在に設けてあり、指挟み防止部材の他方側への衝突に連動して一方側に回動し、一方側に係止することで引戸の開方向への戻りを規制するものであることを特徴とする。
【０００７】
請求項２に記載の発明は、引戸及び横枠の何れか一方側に設けた指挟み防止部材及び係止部と、他方側に設けたスライダ及び跳ね返り防止部材とを備え、指挟み防止部材は一方側に配置した見込み方向の軸により他方側に向けて回動自在に設けてあり引戸を所定速度よりも早く閉めたときにスライダに衝突するものであり、スライダは指挟み防止部材に押されたときに引戸開閉方向の所定位置までスライドし、スライダが所定位置に停止したときに指挟み防止部材が引戸の閉方向の移動を規制するものであり、跳ね返り防止部材は、他方側に配置した見込み方向の軸により一方側に向けて回動自在に設けてあり、スライダに押されときに一方側に向けて回動して係止部に係止し引戸の開方向への戻りを規制するものであることを特徴とする。
【０００８】
請求項３に記載の発明は、請求項１又は２に記載の発明において、跳ね返り防止部材は付勢部材により他方側に向けて付勢してあり、一方側に回動するときには付勢力に抗して回動することを特徴とする。
【発明の効果】
【０００９】
請求項１に記載の発明によれば、所定速度よりも早く引戸を閉めたときには、一方（引戸）側に設けた指挟み防止部材が他方（横枠）側に衝突して、引戸が閉方向へ移動するのを規制することにより、指挟みを防止することができる。更に、指挟み防止部材が他方側への衝突に連動して跳ね返り防止部材が一方（指挟み防止部材が引戸に設けてある場合には引戸）側に回動して係止するので、引戸が開方向に跳ね返るのを防止できる。
跳ね返り防止部材が、一方側に係止して跳ね返りを防止するので、特許文献２の従来技術のようなブレーキ部材と異なり磨耗による劣化がなく、跳ね返り防止を長期に亘って機能できる。
【００１０】
請求項２に記載の発明によれば、請求項１に記載の発明と同様の作用効果を奏すると共に、スライダに指挟み防止部材が衝突してスライダが所定位置にまでスライドして停止したときに指挟み防止部材が引戸の移動を規制するので、指挟み防止部材が引戸の移動を停止するときの衝撃を緩和できる。
また、跳ね返り防止部材は、スライダに押されて一方側に向けて回動するので、跳ね返り防止部材の一方側への回動をスムーズに行うことができる。
【００１１】
請求項３に記載の発明によれば、請求項１又は２に記載の作用効果を奏すると共に、跳ね返る防止部材が一方側に係止した後に、跳ね返り防止部材を初期位置に早く戻すことができると共に、引戸が移動するときの振動等で跳ね返り防止部材が一方側に回動するのを防止できる。
【発明を実施するための最良の形態】
【００１２】
以下に、添付図面を参照して本発明の実施の形態を説明する。先ず、図１〜図６を参照して第１実施の形態を説明する。図１は図６に示すＡ部の縦断面図であり、図２は図１のＢ−Ｂ断面図であり、図３は図２のＣ−Ｃ断面図であり、図４は図１に示す指挟み防止部材と跳ね返り防止部材の作用を示す図であり、（１）〜（８）は引戸を所定速度よりも早く閉めた場合の経時ごとの状態を示し、図５は図１に示す指挟み防止部材と跳ね返り防止部材の作用を示す図であり、（１）〜（３）は引戸を所定速度よりも遅く閉めた場合の経時ごとの状態を示し、図６は本実施の形態に係る引戸サッシの正面図である。
本実施の形態に係る引戸サッシ１は、図６に示すように引き違いサッシであり、上枠（横枠）３に一方側係合具５が取付けてあり、引戸７の上框（横框）６に他方側係合具９が取付けてあり、一方側係合具５と他方側係合具９とにより引戸７の指挟み防止と跳ね返り防止を図っている。
図１に示すように、一方側係合具５は、一方側係合具本体１１と、一方側係合具本体１１に対してスライド自在なスライダ１３と、跳ね返り防止部材１５とを備えており、他方側係合具９は、跳ね返り防止部材１５の係止部１９と、指挟み防止部材２１とを備えている。
一方側係合具本体１１には、引戸開き側の上部１１ａにマグネット１７が設けてあり、スライダ１３は、引戸開き側端１３ａがマグネット１７よりも引戸閉じ側に位置しており、図１に示す初期位置から引戸閉方向にスライド自在である。また、スライダ１３は、初期位置から引戸閉方向に所定位置まで移動したときにストッパ１４に当接してスライドを停止するようになっている。また、スライダ１３は初期位置において、引戸閉じ側端１３ｂが跳ね返り防止部材１５の上部に当接しており、初期位置から引戸閉方向に移動すると跳ね返り防止部材１５の上部を押すようになっている。
跳ね返り防止部材１５は、回動軸（見込み方向の軸）２５を中心に回動自在であり、スプリング（付勢部材）２７により引戸閉じ側端部１５ａが上方（横枠側）に向けて付勢されている。尚、スプリング２７はねじりばねである。また、図３に示すように、一方側係合具本体１１において、跳ね返り防止部材１５に対面する位置にはオイルダンパ２６が設けてあり、オイルダンパ２６の軸に設けた歯車２８に跳ね返り防止部材１５に設けた歯車３０が歯合しており、オイルダンパ２６が跳ね返り防止部材１５の回動を緩衝して、跳ね返り防止部材１５がゆっくりと回動するようになっている。
他方側係合具９は、他方側係合具本体２９に上部が開口した跳ね返り防止部材収納部３１及び指挟み防止部材収納部３３が形成されている。本実施の形態では、跳ね返り防止部材収納部３１の引戸閉じ側壁が跳ね返り防止部材１５との係止部１９になっている。
指挟み防止部材２１は、指挟み防止部材収納部３３内に設けた回動軸（見込み方向の軸）３２を中心にして回動自在であり、先端部（引戸閉じ側端部）２１ａが横框６よりも上方に突出して位置している。先端部２１ａには、マグネット３５が設けてあり、マグネット３５は、横枠３に設けたマグネット１７と対向する側が同極の磁極になっており、横枠３のマグネット１７に対向すると離反する力を受けて指挟み防止部材２１は先端部２１を下方にして回動するようになっている。
本実施の形態においては、請求項に記載の「所定速度」は、横枠に設けたマグネット１７と指挟み防止部材２１に設けたマグネット１７とが互いに離反する磁極の作用を受ける速度をいう。
【００１３】
次に、本実施の形態に係る引戸サッシ１の動き、作用及び効果について説明する。先ず、図４の（１)〜(８)を参照して、引戸を所定速度よりも早く閉めた場合について、順を追って説明する。
（１）引戸７が開き位置から、所定速度よりも早く閉めると、横枠３側に突設した指挟み防止部材２１の先端部２１ａは、横枠に設けてあるマグネット１７の反発を受ける間もなく、先端部２１ａを横枠側に突設したままマグネット１７の下を通過する。
（２）引戸７は更に矢印Ｆ方向（引戸閉方向）に進んで、スライダ１３に衝突し、スライダ１３を押す。スライダ１３は指挟み防止部材２１に押されてスライドし、スライダ１３が跳ね返り防止部材１５の上端部を押すことにより、跳ね返り防止部材１５が矢印Ｇ方向に向けて回動する。このとき、他方側係合具９に設けてある跳ね返り防止部材収納部３１が跳ね返り防止部材１５の下に位置している。
（３）スライダ１３が所定位置まで移動すると、ストッパ１４に当接してスライドできなくなり、指挟み防止部材２１の先端部２１がスライダ１３に当接したまま、引戸７が停止する。同時に跳ね返り防止部材１５がスライダ１３に押されて略直角にまで回動して収納部３１に完全に位置する。この状態で、引戸７が竪枠２に当接する前に引戸７が停止するので、指挟みが防止される。
（４）引戸７は、停止した反動で矢印Ｂ方向（引戸開方向）に向けて移動する。
（５）跳ね返り防止部材１５は、スプリング２７（図１参照）の付勢力により上方に向けて回動しようとするが、跳ね返り防止部材１５は、オイルダンパ２６（図３参照）により回動が緩衝されているので、ゆっくりと回動をする。
（６）引戸７が更に矢印Ｂ方向に移動すると、跳ね返り防止部材１５が係止部１９に係止する。これにより、引戸７が矢印Ｂ方向に移動するのを阻止し、引戸７の跳ね返りを防止し、引戸７が一旦停止する
（７）次に、引戸７が跳ね返り防止部材１５による反動で、矢印Ｆ方向（引戸閉方向）に移動するが、引戸７は所定速度よりも遅く移動するので、指挟み防止部材２１のマグネット３５は、横枠３のマグネット１７からの磁極の反発を受けて、先端部２１ａを下方に下げるように回動する。これにより、指挟み防止部材２１の先端部２１ａはスライダ１３の下方を通過する。
（８）更に、引戸７が矢印Ｆ方向に移動するときに、他方側係合具本体２９が跳ね返り防止部材１５を初期位置に戻るように押し、スライダ１３は跳ね返り防止部材１５に押されて初期位置へスライドする。そして、指挟み防止部材２１の先端部２１ａは収納部３３内に位置して、引戸７は竪枠２（図１参照）に当接して引戸が閉じる。
【００１４】
次に、図５の(１)〜(３)を参照して、引戸を所定速度よりも遅く閉めた場合について、順を追って説明する。
（１）引戸７を所定速度よりも遅く閉めると、指挟み防止部材２１の先端２１ａが横枠３側に突設した状態で移動し、先端部２１ａにあるマグネット３５が横枠３に設けたマグネット３５に近づく。
（２）指挟み防止部材２１のマグネット３５は、一方側係合具５のマグネット１７からの磁極の反発を受けて、先端部２１ａを下方に下げるように回動する。
（３）そして、指挟み防止部材２１の先端部２１ａは収納部３３内に位置して、スライダ１３の下を通過し、引戸７は竪枠２（図１参照）に当接して引戸が閉じる。
【００１５】
本実施の形態によれば、引戸７を所定速度よりも早く閉めたときには、引戸７が竪枠２に当接する前に、指挟み防止部材２１がスライダ１３に衝突して、引戸７が閉方向へ移動するのを規制するので、指挟みを防止することができる。同時に、指挟み防止部材２１がスライダ１３を引戸閉方向に向けて押すことにより、跳ね返り防止部材１５が引戸７側に突設して横框６の係止部１９に係止するので、引戸７が開方向に跳ね返るのを防止できる。
跳ね返り防止部材１５が、他方側係合具９に係止して跳ね返りを防止するので、構成が簡易であると共に、特許文献２の従来技術のように磨耗による劣化がなく、跳ね返り防止を長期に亘って機能できる。
スライダ１３に指挟み防止部材２１が衝突してスライダ１３が所定位置にまでスライドして停止したときに指挟み防止部材２１が引戸７の移動を規制するので、指挟み防止部材２１が引戸７の移動を停止するときの衝撃を緩和できる。
跳ね返り防止部材１５は、スライダ１３に押されて回動するので、回動をスムーズに行うことができる。
跳ね返る防止部材１５はスプリング２７により横枠３側（他方側）に向けて付勢してあるので、係止部１９に係止した後に、跳ね返り防止部材１５を初期位置に早く戻すことができる。また、引戸７が移動するときの振動等で跳ね返り防止部材１５が引戸７側（一方側）に回動するのを防止できる。
【００１６】
次に、図７〜図９を参照して、本発明の第２実施の形態を説明するが、以下に説明する第２実施の形態では、上述した実施の形態と同一の作用効果を奏する部分には同一の符号を付することにより、その部分の詳細な説明を省略し、第１実施の形態と主に異なる点を説明する。図７は、第２実施の形態を示し、図６に示す引戸サッシを図１と同じ位置で切断して示す図であり、図８は第２実施の形態における指挟み防止部材と跳ね返り防止部の作用を示す図であり、（１）〜（１０）は引戸を所定速度よりも早く閉めた場合の経時ごとの状態を示す図であり、図９は第２実施の形態における指挟み防止部材と跳ね返り防止部の作用を示す図であり、（１）〜（４）は引戸を所定速度よりも遅く閉めた場合の経時ごとの状態を示す図である。
図７に示すように、第２実施の形態に係る引戸サッシ１は、一方側係合具５の引戸開き側には第１実施の形態におけるマグネット１７がなく、マグネット１７に換えて案内部材４１が設けてあり、スライダ１３は一方側係合具５に対してトッションバー４３により引戸開き側に常時付勢してある。また、一方側係合具５にはオイルダンパ２６がなく、他方側係合具９の跳ね返り防止部材収納部３１にオイルダンパ２６が設けてある。
案内部材４１には、下面に引戸７の開閉方向に沿って山形を成す案内面４５が形成されている。この案内面は引戸開閉方向の中央部が最下位置にある。跳ね返り防止部材１５には、他方側係合具９に設けたオイルダンパ２６の歯車２６ａに歯合可能な歯列４７が設けてある。
この実施の形態では、請求項に記載の「所定速度」は、指挟み防止部材２１の後端２１ｂが案内部材４１に押圧されて回動し、先端部２１ａが横枠３側に突設ときの引戸の速度である。
指挟み防止部材２１は、先端部２１ａ及び後端部２１ｂの下面に各々マグネット４９が設けてあり、指挟み防止部材収納部３３の下面には磁性体５１が配置されており、指挟み防止部材の先端部２１ａ及び後端部２１ｂがそれぞれ下側に位置したときに磁性体５１に吸着して保持するようになっている。
【００１７】
次に、第２実施の形態に係る引戸サッシ１の動き、作用及び効果について説明する。先ず、図８の（１)〜(１０)を参照して、引戸７を所定速度よりも早く閉めた場合順を追って説明する。
（１）指挟み防止部材２１の後端部２１ｂが横枠３側に突設した位置にあり、引戸７を開き位置から閉めると、後端部２１ｂが案内部材４１の引戸開側案内面４５ａに当接して下方に下がる。
（２）指挟み防止部材２１が案内部材４１を潜り、先端部２１ａが上方に回動する。
（３）指挟み防止部材２１の先端部２１ａが横枠３側に突設して位置し、スライダ１３に衝突してスライダ１３を竪枠２（図７参照）側に押す。
（４）スライダ１３が指挟み防止部材２１に押されて、矢印Ｆ方向にスライドし、跳ね返り防止部材１５が矢印Ｇ方向に向けて回動する。このとき、跳ね返り防止部材収納部３１が跳ね返り防止部材１５の下に位置している。また、跳ね返り防止部材１５の歯列（カム）４７がオイルダンパ２６の歯車２６ａと歯合する。
（５）指挟み防止部材２１の先端部２１ａがスライダ１３を押し切ると、ストッパ１４に当接して引戸７の移動が停止する。この状態で、引戸７が竪枠２に当接する前に引戸７が停止するので、指挟みが防止される。同時に、跳ね返り防止部材１５が略直角にまで回動して跳ね返り防止部材収納部３１内に位置する。
（６）引戸７は、停止した反動で矢印Ｂ方向（戻り方向）に向けて移動する。スライダ１３はトッションバー４３の付勢力で初期位置側に移動する。
（７）跳ね返り防止部材１５は、回動軸に設けたスプリング２７の付勢力により上方に向けて回動しようとするが、跳ね返り防止部材１５は、オイルダンパ２６により回動が緩衝されているので、ゆっくりと回動をする。
（８）引戸７が更に移動し、跳ね返り防止部材１５が初期位置に戻る前に、係止部（収納部の戸先側壁）１９に係止する。これにより、引戸７の跳ね返りが防止され、引戸生じの引戸開方向への移動が停止する。
（９）跳ね返り防止部材１５がスプリング２７の付勢力により初期位置に戻るときに、跳ね返り防止部材１５に係止部１９が押されて、引戸７はわずかに閉方向Ｆ側に移動して、跳ね返り防止部材１５が初期位置（図７参照）に戻ると、引戸７がフリー状態になる。
（１０）そして、引戸７を開方向Ｂに引くと、指挟み防止部材２１の先端部２１ａは案内部材４１の案内面４５に案内されて押し下げられ、指挟み防止部材２１が回動して初期状態（１）に戻る。
【００１８】
次に、図９の(１)〜(４)を参照して、引戸７を所定速度よりも遅く閉めた及び引戸を閉じ位置から開ける場合について、順を追って説明する。
（１）図８（１）の状態から、引戸７を所定速度よりも遅く閉じると、指挟み防止部材２１の後端部２１ｂが案内部材７４の案内面４５に案内されてゆっくりと押し下げられ、先端部２１ａは横枠３側に突設しない位置にある。
（２）更に、引戸７が引戸閉方向に移動すると、指挟み防止部材２１がスライダ１３の下を潜って、竪枠２（図７参照）に当接して戸が閉まる。
（３）次に、引戸７を閉じ位置から所定速度よりも遅く開くと、指挟み防止部材２１の後端部２１ｂがスライダ１３を通過したときに横枠３側に突設するように指挟み防止部材２１が回動して、指挟み防止部材２１の先端部２１ａは、磁性体５１にマグネット４９により吸着保持される。
（４）更に、引戸７を開くと、指挟み防止部材２１は後端部２１ｂが案内部材４１の案内面４５に沿って押し下げられて、案内部材４１を潜り、引戸開方向へ移動する。
指挟み防止部材２１は案内部材４１を通過すると、後端部２１ｂを横枠３側に突設するように回動して、図７に示す初期状態になる。
【００１９】
第２実施の形態によれば、第１実施の形態と同様に、引戸７を所定速度よりも早く閉めたときには、引戸７が竪枠２に当接する前に、指挟み防止部材２１がスライダ１３に係合することにより、引戸７が引戸閉方向へ移動するのを規制するので指挟みを防止することができる。また、指挟み防止部材２１がスライダ１３を引戸閉じ側に向けて押すことにより、跳ね返り防止部材１５が引戸７側に突設して横框６の係止部１９に係止するので、引戸７が開方向に跳ね返るのを防止できる。
跳ね返り防止部材１５が、係止部１９に係止して跳ね返りを防止するので、構成が簡易であると共に、特許文献２の従来技術のように磨耗による劣化がなく、跳ね返り防止を長期に亘って機能できる。
第２実施の形態では、指挟み防止部材２１は、案内部材４１の案内面４５により、先端部２１ａを横框６にある指挟み防止部材収納部３３収納部に引っ込めたり、横枠３側に突設させたりするので、第１実施の形態のマグネット１７が不要である。
【００２０】
図１０に第３実施の形態を示す。図１０は引戸サッシを図１と同じ位置で切断して示す縦断面図である。この第３実施の形態では、指挟み防止部材２１及び係止部１９を設けた一方側係合具５を横枠３に設け、スライダ１３及び跳ね返り防止部材１５を設けた他方側係合具９を横框６に設けてあることが、第１実施の形態と異なっている。この第３実施の形態では、引戸７が開き位置から、所定速度よりも早く閉めると、横框６側に突設した指挟み防止部材２１の先端部２１ａは、横框６に設けてあるマグネット１７の反発を受ける間もなく、先端部２１ａを横枠側に突設したままマグネット１７の上を通過して、スライダ１３に衝突して、スライダ１３を押してスライドさせる。
一方、所定速度よりも遅く閉めると、横框６側に突設した指挟み防止部材２１の先端部２１ａは、横框６に設けてあるマグネット１７の反発を受けて、上方に回動して、指挟み防止部材収納部３３内に収まって、引戸７が引戸閉方向に移動するのを許可し、引戸７は竪枠２に当接して引戸が閉じる。
この第３実施の形態によれば、上述の第１実施の形態と同様の作用効果を奏することができる。
【００２１】
本発明は、上述した実施の形態に限らず、本発明の要旨を逸脱しない範囲で種々変形可能である。
例えば、引戸サッシ１は引き違いサッシに限らず、片引戸であっても良い。
緩衝部材２６は、オイルダンパに限らず、減速ギアであっても良い。
スライダ１３及び跳ね返り防止部材１５は一方側係合具５に組み付けることに限らず、横枠３に直接取付けてもよいし、係止部１９及び指挟み防止部材２１は他方側係合具９に組み付けることに限らず、横框３に直接取付けも良い。
横枠３は上枠に限らず下枠とし、横框６を下框としても良い。
第１実施の形態において、係止部１９を他方側係合具９に設けて跳ね返り防止部材１５を係止することに限らず、横框６内にある壁部や突部等に跳ね返り防止部材１５を係止してもよい。
第３実施の形態において、跳ね返り防止部材１５にはスプリング（付勢部材）２７を設けないで、図１１に示すように、跳ね返り防止部材１５に空隙部５２を設けたり、跳ね返り防止部材１５の形を変えることにより重心位置や重さを調整して跳ね返り防止部材１５が自重により初期位置に戻るようにしても良い。
【図面の簡単な説明】
【００２２】
【図１】図６に示すＡ部の縦断面図である。
【図２】図１のＢ−Ｂ断面図である。
【図３】図２のＣ−Ｃ断面図である。
【図４】図１に示す指挟み防止部材と跳ね返り防止部材の作用を示す図であり、（１）〜（８）は引戸を所定速度よりも早く閉めた場合の経時ごとの状態を示す図である。
【図５】図１に示す指挟み防止部材と跳ね返り防止部材の作用を示す図であり、（１）〜（３）は引戸を所定速度よりも遅く閉めた場合の経時ごとの状態を示す図である。
【図６】第１実施の形態に係る引戸サッシの正面図である。
【図７】第２実施の形態を示し、図６に示す引戸サッシを図１と同じ位置で切断して示す図である。
【図８】第２実施の形態における指挟み防止部材と跳ね返り防止部材の作用を示す図であり、（１）〜（１０）は引戸を所定速度よりも早く閉めた場合の経時ごとの状態を示す図である。
【図９】第２実施の形態における指挟み防止部材と跳ね返り防止部材の作用を示す図であり、（１）〜（４）は引戸を所定速度よりも遅く閉めた場合の経時ごとの状態を示す図である。
【図１０】第３実施の形態に係る引戸サッシを図１と同じ位置で切断して示す縦断面図である。
【図１１】第３実施の形態の変形例に係る引戸サッシを図１と同じ位置で切断して示す縦断面図である。
【符号の説明】
【００２３】
１      引戸サッシ
３      上枠（横枠）
６      上框（横框）
７      引戸
１３    スライダ
１５    跳ね返り防止部材
１９    係止部
２１    指挟み防止部材
２５    回動軸（見込み方向の軸）
２７    スプリング（付勢部材）
３２    回動軸（見込み方向の軸）
【図１】
0004917499.tif 000002
【図２】
0004917499.tif 000003
【図３】
0004917499.tif 000004
【図４】
0004917499.tif 000005
【図５】
0004917499.tif 000006
【図６】
0004917499.tif 000007
【図７】
0004917499.tif 000008
【図８】
0004917499.tif 000009
【図９】
0004917499.tif 000010
【図１０】
0004917499.tif 000011
【図１１】
0004917499.tif 000012